(57)【特許請求の範囲】
【請求項１】
装置に内蔵された第１の記録媒体に情報を記録しまたは前記第１の記録媒体から情報を再生し、再生した情報を、前記装置に着脱可能な第２の記録媒体に対してダビングする映像記録再生方法において、
前記第１の記録媒体の容量は第１の記録容量Ａであり、前記第２の記録媒体の容量は第１の記録容量Ａよりも小さい第２の記録容量Ｂであり、記録再生される前記情報は、少なくとも映像情報とこれを管理及び再生するのに必要な管理情報であり、
前記第１の記録媒体に前記情報を記録する途中に、前記第２の記録容量Ｂの単位でエントリーポイント情報を得て、このエントリーポイント情報を前記管理情報に含めて、前記第１の記録媒体に記録し、
前記ダビング時には前記エントリーポイント情報を利用するようにしたことを特徴とする映像記録再生方法。
【請求項２】
前記第１の記録媒体は、ハードディスクであり、前記第２の記録媒体は、光ディスクであることを特徴とする請求項１記載の映像記録再生方法。
【請求項３】
前記第１の記録媒体から前記第２の記録媒体にダビングを行なうとき、
ダビング開始時には前記第１の記録媒体に記録されている前記映像情報の先頭から開始し、
前記第２の記録容量Ｂ分のダビングが行なわれた次のダビングでは、前記エントリーポイントからダビングを開始することを特徴とする請求項１記載の映像記録再生方法。
【請求項４】
前記次のダビングは、前記第２の記録媒体が第３の記録媒体に交換された後に行なわれることを特徴とする請求項３記載の映像記録再生方法。
【請求項５】
前記次のダビングは、前記第２の記録媒体の記録面が交換されたされた後に行なわれることを特徴とする請求項３記載の映像記録再生方法。
【請求項６】
前記次のダビングが行なわれたときは、前記第１の記録媒体に記録されていた管理情報のうち、前記エントリーポイント以後の管理情報を修正して新たな管理情報として作成することを特徴とする請求項３記載の映像記録再生方法。
【請求項７】
装置に内蔵された第１の記録媒体に情報を記録しまたは前記第１の記録媒体から情報を再生し、再生した情報を、前記装置に着脱可能な第２の記録媒体に対してダビングする映像記録再生方法において、
前記第１の記録媒体の容量は第１の記録容量Ａであり、前記第２の記録媒体の容量は第１の記録容量Ａよりも小さい第２の記録容量Ｂであり、記録再生される前記情報は、少なくとも映像情報とこれを管理及び再生するのに必要な管理情報であり、
前記第１の記録媒体に前記情報を記録する途中に、前記情報のほぼ半分付近でエントリーポイント情報を得て、このエントリーポイント情報を前記管理情報に含めて、前記第１の記録媒体に記録し、
前記ダビング時には前記エントリーポイント情報を利用するようにしたことを特徴とする映像記録再生方法。
【請求項８】
装置に内蔵された第１の記録媒体に情報を記録しまたは前記第１の記録媒体から情報を再生し、再生した情報を、前記装置に着脱可能な第２の記録媒体に対してダビングする映像記録再生装置において、
前記第１の記録媒体の容量は第１の記録容量Ａであり、前記第２の記録媒体の容量は第１の記録容量Ａよりも小さい第２の記録容量Ｂであり、記録再生される前記情報は、少なくとも映像情報とこれを管理及び再生するのに必要な管理情報であり、
前記第１の記録媒体に前記情報を記録する途中に、前記第２の記録容量Ｂの単位でエントリーポイント情報を得て、このエントリーポイント情報を前記管理情報に含めて、前記第１の記録媒体に記録する手段と、
前記ダビング時に前記エントリーポイント情報を利用する手段と
を有したことを特徴とする映像記録再生装置。
【請求項９】
前記第１の記録媒体は、ハードディスクであり、前記第２の記録媒体は、光ディスクであることを特徴とする請求項８記載の映像記録再生装置。
【請求項１０】
前記第１の記録媒体から前記第２の記録媒体にダビングを行なうとき、
ダビング開始時には前記第１の記録媒体に記録されている前記映像情報の先頭から開始する手段と、
前記第２の記録容量Ｂ分のダビングが行なわれた次のダビングでは、前記エントリーポイントからダビングを開始する手段とを有することを特徴とする請求項８記載の映像記録再生装置。
【請求項１１】
装置に内蔵された第１の記録媒体に情報を記録しまたは前記第１の記録媒体から情報を再生し、再生した情報を、前記装置に着脱可能な第２の記録媒体に対してダビングする映像記録再生装置において、
前記第１の記録媒体の容量は第１の記録容量Ａであり、前記第２の記録媒体の容量は第１の記録容量Ａよりも小さい第２の記録容量Ｂであり、記録再生される前記情報は、少なくとも映像情報とこれを管理及び再生するのに必要な管理情報であり、
前記第１の記録媒体に前記情報を記録する途中に、前記情報のほぼ半分付近でエントリーポイント情報を得て、このエントリーポイント情報を前記管理情報に含めて、前記第１の記録媒体に記録する手段と、
前記ダビング時には前記エントリーポイント情報を利用する手段と
を具備したことを特徴とする映像記録再生装置。
【発明の詳細な説明】
【０００１】
【発明の属する技術分野】
この発明は、記録メディアに記録する情報量を管理し、他のメディアに移動或はコピーする場合にデータの過不足がなく、高品位の映像を記録することができる映像記録再生装置に関する。また両面記録可能なディスクに対する情報量の管理としても有効なものである。この発明が適応される装置としては、例えば装置に内蔵されたハードディスクと、この装置に着脱自在で録再可能なＤＶＤ（デジタル・バーサタイル・ディスク）などの媒体を取り扱うことが出来る機器がある。
【０００２】
【従来の技術】
近年、画像圧縮技術として現在、国際規格化したＭＰＥＧ２（Ｍｏｖｉｎｇ  Ｉｍａｇｅ  Ｃｏｄｅｉｎｇ  Ｅｘｐｅｒｔ  Ｇｒｏｕｐ）方式が採用されたＤＶＤ規格が提案された。この規格は、ＭＰＥＧ２システムレイヤに従って、動画圧縮方式ＭＰＥＧ２方式をサポートし、音声圧縮方式にＡＣ３オーディオ圧縮方式及びＭＰＥＧオーディオ圧縮方式をサポートしている。またリニアＰＣＭ方式もサポートしている。さらに、映画やカラオケ等の字幕用としてビットマップデータをランレングス圧縮した副映像データを取り扱うことが出来るようになっている。
【０００３】
さらに、この規格では、早送り、逆送りなどの特殊再生が出来るように、コントロールデータ（ナビパック）を追加している。またこの規格では、コンピュータでディスクのデータを読むことが出来るように、ＩＳＯ９６６０とマイクロ・ユニバーサル・ディスク・フォーマット（ＵＤＦ）の規格をサポートしている。
【０００４】
また、メディア自身の規格としては、ＤＶＤビデオのメディアであるＤＶＤ−ＲＯＭの規格に続き、ＤＶＤ−ＲＡＭの規格（記憶容量４．７ＧＢ）も完成している、ＤＶＤ−ＲＡＭは、そのドライブと併せてコンピュータの周辺機器及び記憶メディアとして普及し始めている。
【０００５】
さらに、現在ではＤＶＤ−ＲＡＭを使用し、リアルタイムで映像情報の記録再生が可能なシステムを実現する規格であるリアルタイムレコーディング（ＲＴＲ：Ｒｅａｌ  Ｔｉｍｅ  Ｒｅｃｏｒｄｉｎｇ）−ＤＶＤ規格が完成している。この規格は、現在発売されているＤＶＤ−Ｖｉｄｅｏ規格を元に考えられている。さらに、このＲＴＲ−ＤＶＤに対応したファイルシステムも規格化されている。
【０００６】
一方では、大容量のハードディスク装置（ＨＤＤ）を内蔵した記録再生装置が製品化され、放送信号の録画再生に使用されている。
【０００７】
上記のように画像圧縮技術の発達に伴い、情報記憶メディア（ＤＶＤ―ＲＡＭ、ハードディスク、半導体メモリ等）を、放送信号などの映像情報のために、リアルタイムで記録再生する映像記録再生装置が開発、製品化されている。
【０００８】
また、情報記録メディアも多種多用なメディアが開発されている。上記に示したＤＶＤ−ＲＡＭも、ユーザーの使用形態にあわせ、複数種が規格・製品化されている。特に、容量に関してはいくつかの種類のものが既に製品化されている。例をあげると、外形１２ｃｍ、片面記録、容量４．７ＧＢのものが現在最も一般的に使われるＤＶＤ−ＲＡＭディスクである。また、上記のディスクようなディスクを２枚貼り合わせたタイプとして、容量が倍になる９．４ＧＢのディスク製品もすでに製品化されている。
【０００９】
【発明が解決しようとする課題】
上記のように記憶容量の異なるメディアが混在しており、これらを有効に使いこなす装置が要望されている。
【００１０】
そこで、この発明は、記憶容量の大きな記録メディアに情報を記録し記録容量の小さな記録メディアに対して例えば情報のコピーを行なう場合、情報のコピーが容易であり記録容量の違いからくる不具合を改善することができる映像記録再生装置を提供することを目的とする。
【００１１】
【課題を解決するための手段】
この発明は上記の目的を達成するために、装置に内蔵された第１の記録媒体に情報を記録しまたは前記第１の記録媒体から情報を再生し、再生した情報を、前記装置に着脱可能な第２の記録媒体に対してダビングする映像記録再生方法において、前記第１の記録媒体の容量は第１の記録容量Ａであり、前記第２の記録媒体の容量は第１の記録容量Ａよりも小さい第２の記録容量Ｂであり、記録再生される前記情報は、少なくとも映像情報とこれを管理及び再生するのに必要な管理情報であり、前記第１の記録媒体に前記情報を記録する途中に、前記第２の記録容量Ｂの単位でエントリーポイント情報を得て、このエントリーポイント情報を前記管理情報に含めて、前記第１の記録媒体に記録し、前記ダビング時には前記エントリーポイント情報を利用するようにした。
【００１２】
【発明の実施の形態】
以下、図面を参照しながら本実施の形態について説明する。
【００１３】
図１は、この発明を適用した映像記録再生装置の一実施形態を示す図である。
【００１４】
この実施例で示した映像記録再生装置では、記録媒体としてＤＶＤ−ＲＡＭ、ハードディスクの両方を取り扱うことが出来る。図１は、ＤＶＤ−ＲＡＭドライブ装置８とハードディスクドライブ装置９を有する。ＤＶＤ−ＲＡＭドライブ装置８では、光ディスクメディアであるＤＶＤ−ＲＡＭの読み書きができ、また幾つかの種類のＤＶＤ−ＲＡＭに対応してアクセスが可能である。ハードディスクドライブ９には、記録媒体としてハードディスクメディアが内蔵されている。
【００１５】
これら、２つの記録メディアのドライブ装置は、回転制御系や、レーザー駆動系回路や、光学系回路または、メディアに記録されたデータのエラー訂正などの処理もすべて含まれた装置である。
【００１６】
この映像記録再生装置の基本的な動作を説明する。映像入力部１および音声入力部２から映像信号と音声信号が入力される。映像信号は、アナログデジタル（Ａ／Ｄ）変換回路３で、音声信号は、Ａ／Ｄ変換回路４にてアナログ信号からディジタル信号に変換される。
【００１７】
変換された映像ディジタル信号は、エンコーダ５にてＭＰＥＧ２の圧縮ビデオデータに符号化され、音声ディジタル信号は、例えばＡＣ３やＭＰＥＧなどの圧縮オーディオデータに符号化される。さらに、これらの圧縮されたビデオとオーディオデータは、さらに、エンコーダ５にてＭＰＥＧ２システムレイヤーに変換される。
【００１８】
エンコーダ５からの信号は、フォーマッタ６でフォーマット変換され、ＤＶＤレコーディング規格（ＤＶＤ−ＲＡＭ，ＤＶＤ−ＲＷなど）に規定したフォーマットに変換される。
【００１９】
フォーマット変換された信号は、データ処理部７にてＤＶＤ−ＲＡＭドライブ８或はハードディスクドライブ９に準拠したコマンドを含めた記録データに変換され、ＤＶＤ−ＲＡＭやハードディスクに記録される。データ処理部７は主にバッファ回路で占められている。
【００２０】
ここで、本装置は、フォーマット変換されたデータのほかに、再生用管理情報をＭＰＵ部１８で作成し、データ処理部７を介してＤＶＤ−ＲＡＭ或はハードディスクに記録する。
【００２１】
また、ＤＶＤ−ＲＡＭに記録された情報をデータ処理部７を介してハードディスクに記録することも出来る。反対に、ハードデスクの情報をＤＶＤ−ＲＡＭに記録することも可能である。ただし、ＤＶＤ−ＲＡＭもハードディスクも同じフォーマットであることが条件である。
【００２２】
また、ＤＶＤ−ＲＡＭあるいはハードディスクに記録された複数番組の編集も可能になる。その場合、後述するＲＴＲ―ＤＶＤフォーマットに対応した方法などにて、容易に複数番組の削除や、編集用再生等が可能である。その場合、ＭＰＵ部１８にて、それら管理情報の修正と、さらに、フォーマットされた信号の複写・移動・削除などがデータ処理部７を介して行われる。
【００２３】
記録したデータを再生する場合、ＤＶＤ−ＲＡＭやハードディスクからデータ処理部７にフォーマットされたデータが入力され、データ処理部７の出力がデコーダ１０に入力される。デコーダ１０では、ＤＶＤフォーマット信号のデコードを行う。
【００２４】
デコーダ１０は、主に、フォーマットされたデータを分離する部分と、分離された圧縮ビデオデータ、オーディオデータをそれぞれデコードする部分を有する。ビデオデータはＭＰＥＧ２方式によるデコード処理を施され、オーディオデータはＭＰＥＧやＡＣ３などのデコード処理を施される。デコードされたビデオデータ、オーディオデータは、それぞれ、セレクタ１１Ａ、１１Ｂに送られる。セレクタ１１Ａ，１１Ｂでは、入力信号をそのままデジタルアナログＤ／Ａ変換回路１２，１３に送る場合と、記録された情報を再生する場合で切替る。切替の制御はＭＰＵ部１８が行う。
【００２５】
セレクタ１１Ａから出力されたビデオデータは、Ｄ／Ａ変換回路１２でアナログ信号に変換され、モニタ１４に供給される。またセレクタ１１Ｂから出力されたオーディオデータはＤ／Ａ変換回路１３でアナログ信号に変換され、スピーカ１５に供給される。
【００２６】
また、ＭＰＵ部１８では、上記に述べた以外に、キー入力部１６からユーザーのコマンド制御を受け、記録再生装置の動作の制御を行う。またＭＰＵ部１８は、ユーザーに対して装置の現在の状態を表示部１７で表示させる。
【００２７】
ＭＰＵ部１８では、これらの処理のために、ＲＡＭや制御プログラムなどを内蔵したＲＯＭを備えている。ＭＰＵは、制御プログラムに従って、システム全体の制御、ユーザーからのコマンド制御の入力、現在の状態表示、ＤＶＤフォーマットの各種検出等の制御を行う。
【００２８】
ここで、リアルタイムＤＶＤの管理情報と、コンテンツであるビデオオブジェクトとの関係を簡単に説明する。
【００２９】
図２において、まずビデオオブジェクト（ＶＯＢ）について説明する。ＶＯＢは、ディレクトリではＶＲ＿ＭＯＶＩＥ．ＶＲＯファイルと称されるビデオファイル内に格納される。ビデオファイルは階層構造であり、一つのファイルは、一つ又は複数のＶＯＢ（ビデオオブジェクト）で構成され、一つのＶＯＢは、一つ又は複数のＶＯＢＵ（ビデオオブジェクトユニット）で構成され、一つのＶＯＢＵは、複数のパックから構成される。複数のパックとしては、ＲＤＩパック、Ｖ（ビデオ）パック、Ａ（オーディオ）パック等が存在する。副映像パック（ＳＰパック）が存在しても良い。
【００３０】
ＲＤＩパックは、ユニット制御情報パック、或いはナビゲーション情報パック、或いはリアルタイムデータ情報パック（ＲＤＩ＿ＰＡＣＫ）と称される。このパックには、これが属するＶＯＢＵの最初のフィールドが再生される開始時間を示す情報、当該ＶＯＢＵの記録時を示す情報、製造者情報（ＭＮＦＩ）などを含む。また、ディスプレイ制御情報（ＤＣＩ）及びコピーコントロール情報（ＣＣＩ）を含む。ディスプレイ制御情報は、アスペクト比情報、サブタイトルモード情報、フィルムカメラモード情報を示す。コピーコントロール情報（ＣＣＩ）は、コピー許可情報（０，０）、またはコピー禁止（コピー否許可）情報（１，１）を含む。
【００３１】
Ｖパックは、ビデオデータがＭＰＥＧ２の方式で圧縮されたもので、パックヘッダ、パケットヘッダ、ビデオデータ部で構成されている。Ａパックは、オーディオデータが、例えばリニアＰＣＭあるいはＭＰＥＧ，或いはＡＣ３などの方式で符号化されたものであり、パックヘッダ、パケットヘッダ、オーディオデータ部で構成される。
【００３２】
管理情報は、ディレクトリーでは、ＶＲ＿ＭＡＮＧＲ．ＩＦＯと称される管理情報ファイルに格納される。管理情報は、ビデオマネージャー（ＶＭＧ）と称され、その中にデータ再生順序を管理するプログラムチェーン（ＰＧＣ）が定義され、このＰＧＣ内には、セル（ＣＥＬＬ）が定義されている。ＰＧＣは、複数のＣＥＬＬの順序を記述して指定している。セル（ＣＥＬＬ）には、再生すべき対象となるビデオオブジェクト（ＶＯＢ）に関する情報であるビデオオブジェクト情報（ＶＯＢＩ）が定義されている。
【００３３】
ＰＧＣの具体的情報を記録してある部分がプログラムチェーン情報（ＰＧＣＩ）部分である。ＰＧＣＩには、２種類が存在し、一つはオリジナルＰＧＣＩ（ＯＲＧ＿ＰＧＣＩ）、もう一つはユーザーデファインドＰＧＣテーブル（ＵＤ＿ＰＧＣＩＴ）である。通常、記録時には、オリジナルＰＧＣＩが作成される。ユーザーデファインドＰＧＣＩＴは、オリジナルＰＧＣで管理されているビデオオブジェクトに対して編集（削除、追加、間引き）などが行われたとき、プレイリストという管理情報として作成される。
【００３４】
ＶＯＢＩ内には、タイムマップ（ＴＭＡＰ）が記述されており、このＴＭＡＰは、ＶＯＢＩに対応したＶＯＢを構成しているＶＯＢＵを指定する情報である。ＣＥＬＬからＶＯＢＩへのリンクは、論理アドレスで特定されている。また、ＴＭＡＰ情報からＶＯＢ及びＶＯＢＵへのリンクは、ＶＯＢのストリーム番号、各ターゲットＶＯＢＵへの論理アドレスに基づいて行われている。さらに管理情報の中にはＶＯＢＵの記録容量を示す、ＶＯＢＵのサイズの情報（ＶＯＢＵ＿ＳＺ）がある。
【００３５】
図３において、管理情報中のＰＧＣＩの階層を説明する。
【００３６】
プログラムチェーン情報（ＰＧＣＩ）は、プログラムチェーン一般情報（ＰＧＣ＿ＧＩ）とプログラム情報（ＰＧＩ）と、セル情報サーチポインタ（ＣＩ＿ＳＲＰ）と、セル情報（ＣＩ）を含む。ＰＧＣ＿ＧＩは、プログラムチェーンにより再生されるプログラムが幾つ存在するかを示すプログラム数（ＰＧ＿Ｎｓ）、セルサーチポインタが幾つ存在するかを示すセルサーチポインタ数（Ｃ＿ＳＲＰ＿Ｎｓ）が記述されている。図３の例では、プログラム情報ＰＧＩ＃１、…、ＰＧＩ＃ｎが存在する。また、セルサーチポインタＣ＿ＳＲＰ＃１、…、Ｃ＿ＳＲＰ＃ｎが存在する。
【００３７】
プログラム情報ＰＧＩには、プログラムタイプ（ＰＧ＿ＴＹ）と、このプログラムのセル数（Ｃ＿Ｎｓ）と、このプログラムの主なテキスト情報（ＰＲＭ＿ＴＸＴＩ）と、特殊な構造を持つテキスト情報サーチポインタ番号（ＩＴ＿ＴＸＴ＿ＳＲＰＮ）と、代表画像情報（ＲＥＰ＿ＰＩＣＴＩ）とが含まれる。代表画像情報ＰＲＭ＿ＴＸＴＩは代表画像のセル番号（ＣＮ）、及びこのセルの中のピクチャポイント（ＰＩＣＴ＿ＰＴ）を示すプレゼンテーションタイムＰＴＭが含まれる。
【００３８】
セルサーチポインタＣ＿ＳＲＰには、次のセル情報（ＣＩ）のスタートアドレス（ＣＩ＿ＳＡ）がファイルの論理アドレスで記述されている。
【００３９】
セル情報（ＣＩ）は、動画セル情報（Ｍ＿ＣＩ）かまたは静止画セル情報（Ｓ＿ＣＩ）である。動画セル情報Ｍ＿ＣＩには、セル一般情報（Ｍ＿Ｃ＿ＧＩ）とムービーセルエントリーポイント情報（Ｍ＿Ｃ＿ＥＰＩ＃１…Ｍ＿Ｃ＿ＥＰＩ＃ｎ）が記述されている。Ｍ＿Ｃ＿ＧＩには、セルタイプ（Ｃ＿ＴＹ）、このセルで特定されるＶＯＢＩを指定するためのサーチポインター番号（Ｍ＿ＶＯＢＩ＿ＳＲＰＮ）と、ムービーセルエントリーポイント情報が幾つあるかを示すセルエントリーポイント情報数（Ｃ＿ＥＰＩ＿Ｎｓ）が記述されている。また、このセルに対応したビデオ開始時間（Ｃ＿Ｖ＿Ｓ＿ＰＴＭ）、ビデオ終了時間（Ｃ＿Ｖ＿Ｅ＿ＰＴＭ）が記述されている。
【００４０】
ここで、上記のムービーセルエントリーポイント情報（Ｍ＿Ｃ＿ＥＰＩ）には、エントリーポイントタイプ（ＥＰ＿ＴＹ）、及びエントリーポイントプレゼンテーションタイム（ＥＰ＿ＰＴＭ）が記述されている。
【００４１】
本発明で特に関連ある再生用管理情報は、このムービーセルエントリーポイント情報（Ｍ＿Ｃ＿ＥＰＩ）である。記録再生装置の再生時において、エントリー操作を行なうとこのセルエントリーポイント情報が参照される。エントリーポイントが記述されているときは現在再生している位置の次のエントリーポイントが示すプレゼンテーションタイムのオブジェクトにジャンプする。本発明の装置では、録画を行い、管理情報を作成するが、録画情報の容量が４．７ＧＢに成ると先のムービーセルエントリーポイント情報（Ｍ＿Ｃ＿ＥＰＩ）を自動的に作成する。
【００４２】
図４には、ハードディスクに録画が行なわれている場合にエントリーポイント情報を作成する手順を示している。録画がスタートし、メモリの記録エリアを確保し、管理情報の作成準備を行い、録画準備を行なう（Ｓ１００，Ｓ１０１）。次にハードディスクに対して録画を開始する（Ｓ１０２）。次に、記録した容量が４．７ＧＢに成ったかどうかを判定する（Ｓ１０３）。記録した容量が４．７ＧＢに達していないときは、現在の記録容量の計算をおこなう（Ｓ１０７）。この計算は、例えばＵＤＦ規格におけるディスクの使用個所を示すビットマップデータまたはＴＭＡＰ内のＶＯＢＵの記録容量を示すＶＯＢＵ＿ＳＺを用いて計算を行なうことで可能である。録画終了操作がなされるかあるいは予約録画などによる時間切れであり、録画終了かどうかを判定する（Ｓ１０７）。
【００４３】
録画終了でなく、記録した容量が４．７ＧＢに達していないときは、ループＳ１０３，Ｓ１０６，Ｓ１０７が繰り替えされる。記録容量が４．７ＧＢに達したときは、ハードディスクの管理情報にエントリーポイント情報を設定する（Ｓ１０４）。そして記録容量計算を実行するためのフラッグをクリアする（Ｓ１０５）。再度録画終了かどうかを判定し（Ｓ１０７）、録画終了でない場合には、ステップＳ１０３に戻り上記の処理を繰り返すことになる。
【００４４】
録画終了が判定された場合には、終了処理を行う（Ｓ１０８）。ここでは、ＭＰＵ部１８の制御のもとで、ランダムアクセスメモリ内に蓄積した最終的に管理情報を完成させて、ハードディスクに記録する。
【００４５】
図５は、上記のようにハードディスクに４．７ＧＢ単位でエントリーポイントが付された映像情報をＤＶＤ−ＲＡＭ（４．７ＧＢの記録容量）にダビングする場合の処理手順を示している。
【００４６】
ダビングがスタートすると（Ｓ２００）、ダビング先のメディア（この場合はＤＶＤ−ＲＡＭ）の残量を取得する。この残量もＵＤＦ規格における、例えば記録状況を示すビットマップを読み取り、このビットマップを用いて計算することが可能である（Ｓ２０１）。次にダビング先のメディア（ＤＶＤ−ＲＡＭ）の管理情報をチックする。ＤＶＤ−ＲＡＭに管理情報があるかどうかを判定する。管理情報がない場合には、管理情報作成準備を行なう（Ｓ２０５）。管理情報がダビング先のＤＶＤ−ＲＡＭに既に記録されていた場合には、これを読み出し、一旦、ＭＰＵ部１８の制御のもとで、ランダムアクセスメモリ内に格納する。
【００４７】
次に、ダビング元の記録データ容量の計算を行なう（Ｓ２０６）。ダビング元（ハードディスク）の記録データ容量としては、４．７ＧＢ以下、４．７ＧＢ以上、４．７ＧＢの複数倍などがある。計算結果が、記録データ容量４．７ＧＢ以下（Ａ１）で、ＤＶＤ−ＲＡＭの残り容量（Ｂ１）であり、Ａ１（最大４．７ＧＢ）＜Ｂ１（最大４．７ＧＢ）の関係ならばダビング可能と判断する（Ｓ２０７）。逆にＡ１（最大４．７ＧＢ）＞Ｂ１であれば、ダビング不可と判定し、ダビング処理を終了する。このとき警告表示を行なってもよい。
【００４８】
本発明の場合、ダビング元（ハードディスク）の記録データ容量が、４．７ＧＢ以上であっても、ステップＳ２０７では、最大４．７ＧＢとして判断される。これは、ハードディスクの記録データは、４．７ＧＢ単位で取り扱うことができるようにエントリーポイント情報が設定されているからである。
【００４９】
ダビング可能と判断された場合、装置は、ＤＶＤ−ＲＡＭのＡ面、Ｂ面のどちらにダビングを行なうかをユーザに問い合わせる。この問合せは、表示形態であってもよいし、また音声によるものであってもよいし、この組み合せであってもよい。
【００５０】
ユーザがＡ面に記録することを選択した場合には、ハードディスクにおける読み取り開始位置として、タイトルの先頭に設定する（Ｓ２０９）。これは、ユーザがシステムを使用する場合、ＤＶＤ−ＲＡＭのＡ面を最初に再生面として選択することがノーマルであるからである。逆にユーザがＢ面に記録することを選択した場合には、ハードディスクにおける読み取り開始位置として、エントリーポイント（タイトルの先頭から４．７ＧＢのデータ量を経過したポイント）に設定する（Ｓ２１０）。
【００５１】
次に、ハードディスクの管理情報を、ＤＶＤ−ＲＡＭの管理情報に追加する処理が行なわれる（Ｓ２１１）。この追加処理においては、ＤＶＤ−ＲＡＭの空のＡ面にダビングが行なわれる場合と、ＤＶＤ−ＲＡＭのＡ面に既に情報が記録されており、これに続けたダビングが行なわれる場合とで、管理情報内の再生時間情報、オブジェクトの再生順を示す番号（セル番号等）の修正処理内容が異なる。ＤＶＤ−ＲＡＭの空のＡ面にダビングが行なわれる場合は、ハードディスクの管理情報（４．７ＧＢを取り扱う分）がＤＶＤ−ＲＡＭの管理情報としてコピーされるだけである。ＤＶＤ−ＲＡＭのＡ面に既に情報が記録されており、これに続けたダビングが行なわれる場合は、既に存在する管理情報の最後のオブジェクトに対する再生時間情報、オブジェクトの再生順を示す番号（セル番号等）が参照される。そして、ハードディスクの管理情報の先頭のオブジェクトに対する再生時間情報、オブジェクトの再生順を示す番号（セル番号等）が、既存在の管理情報の再生時間情報、再生順に連続するように修正される。
【００５２】
次に、ＤＶＤ−ＲＡＭのＢ面にダビングが行なわれる場合は、ハードディスクの管理情報のエントリーポイント以降を示す再生時間情報、再生順などが、オブジェクトの先頭から再生できるように修正変更される。これは、ＤＶＤ−ＲＡＭのＢ面を再生するために、ＤＶＤ−ＲＡＭを再生装置に装填したときに、改めて管理情報を読み取り、Ｂ面のオブジェクトの先頭から再生を実行する必要があるからである。したがって、このシステムでは、４．７ＧＢ以上の記録データがハードディスクに記録されており、この記録データをＤＶＤ―ＲＡＭのＡ面とＢ面とに分けて記録する場合、ハードディスクに構築されていた管理情報をも、Ａ面用とＢ面用とに分割して処理する機能も持つ。
【００５３】
上記のように管理情報の処理が行われた後、実際に映像情報がＡ面、或はＢ面にコピーされる（Ｓ２１２）。そしてこのコピーが終わると、ＭＰＵ部１８の制御のもとで、各管理情報がメモリから読み出されてＤＶＤ−ＲＡＭに記録されることになる（Ｓ２１３）。これによりダビング処理が終了する（Ｓ２１４）。
【００５４】
上記したようにこの実施の形態であると、ハードディスクに対して予約録画、あるいは一時的な録画を行なう場合、後でダビング使用とするメディア（例えばＤＶＤ−ＲＡＭ）の片面の記憶容量に相当するポイントを示すエントリーポイントを設定できるようにしている。このため、ダビングする場合の情報管理が容易であり、ユーザの煩わしい操作を不要とする。
【００５５】
また、このために、エントリーポイントを設定し、情報のダビングを行なう場合、ＤＶＤ−ＲＡＭのＡ面とＢ面にダビングする場合、Ａ面ではタイトルの先頭からダビングを行い、Ｂ面ではエントリーポイント以後のデータをダビングする。このときハードディスクに構築されている管理情報を、Ｂ面に関しては、エントリーポイント以後を管理する管理情報として修正する機能を有する。
【００５６】
ここでは、ＤＶＤ−ＲＡＭがＡ面、Ｂ面の記録面を持つものとして説明した。しかしこの発明は、記録面が１つのものであっても上記の動作を実行することが可能である。この場合は、連続ダビングモードを設定することにより、上述したエントリーポイントの管理が成されるようになる。連続ダビングモードが設定された場合は、図５のステップＳ２０８において第１回目のダビングか、連続した第２回目以降のダビングかどうかにより、ステップＳ２０９とＳ２１０に分岐することになる。
【００５７】
この発明は、上記の実施の形態に限定されるものではない。以下、この発明が応用された例を説明する。予約録画を行う場合、ジャスト録画という記録方法がある。これは、記録メディアの記録残量を測定し、その記録残量と録画予約した録画期間とが対応するように録画を行なう方法である。この方法を用いることで、記録メディアの記録残量をフル使用できるため、高画質、効率的な録画が可能である。この両面記録メディアであるＤＶＤ−ＲＡＭとハードディスクとをもつ映像記録再生装置に、上記のジャスト録画機能を持たせることができる。
【００５８】
すると、ＡＢ面録画が可能な両面記録メディアに対して、ジャスト録画機能をどのように適用するかという課題を考えなければならない。つまり、高画質な録画を行なうことと、ディスク容量の効率的な使用を考えると、両面記録メディアの記録容量（９．４ＧＢ）をフル活用したほうが好ましい。しかしながら、両面記録メディアに対するジャスト録画を行なおうとすると、片面の記録が終了したら、裏返して使用しなければならない。
【００５９】
しかし、両面記録メディアを裏返している期間に、録画しようとしている番組が経過してしまう問題がある。また予約録画モードであると、ユーザ不在であるために、裏返す作業を行なうことができないという問題がある。
【００６０】
そこで、装置内蔵のハードディスクを有効に活用し、両面記録メディアに対するジャスト録画を、一時的にハードディスクに対して実現し、しかも、両面記録メディアに対する全録画データ量の丁度半分の点を管理できる再生用管理情報を自動的に得ることができる。この場合に本発明の考えかたが有効に活用される。
【００６１】
（１）装置内蔵のハードディスクを有効に活用し、両面記録メディアに対する録画が片面済んだ時点で、ハードディスクに対する録画を開始し、ジャスト録画を実現できるようにする。
【００６２】
（２）更にこの場合、装填されている両面記録メディアに対するジャスト録画を行なうことができないような場合（例えば装填されているディスクが他の番組の専用の予約ディスクである場合、或は既に他の情報が記録されているようなディスクである場合）は、ハードディスクに対して録画を実行するようにしている。つまり、両面記録メディアに対するジャスト録画を、一時的にハードディスクに対して実現することができる。
【００６３】
（３）さらにこの場合、両面記録メディアの場合、全録画データ量の丁度半分の時点を再生装置が認識できるようにその再生用管理情報を工夫することが好ましい。全録画データ量の丁度半分付近の点とし、全録画時間の半分の時間としないのは、ＤＶＤ規格では可変長圧縮方式であり、必ずしも全録画時間の半分の時点が、全録画データ量の丁度半分の点に一致するとは限らないからである。そこで、全録画データ量の丁度半分の点を時間的に管理できる再生用管理情報を自動的に得ることができるようにする。
【００６４】
そこで、複数の記録メディアをタイムシェアリングにアクセスする情報記録再生装置において、両面記録可能な第１の記録メディアの両面に対して、情報量がほぼ等分となるように分割して映像情報を記録するモードの場合或は前記第１の記録メディアへの情報記録が不可の場合次のように処理を行う。
【００６５】
第２の記録メディアに前記映像情報を記録すると共に、前記第２の記録メディアに記録した映像情報に対する再生用管理情報として、前記両面の情報量がほぼ等分となる分割ポイントを示す再生用管理情報を作成して、この再生用管理情報を前記第２の記録メディアに記録するものである。
【００６６】
図４は、上記の動作を実現するフローチャートの一例を示す。
【００６７】
まず、ＤＶＤ−ＲＡＭの録画を開始する（Ｓ３０１）。次に、ＤＶＤ−ＲＡＭの管理情報を読み込み（Ｓ３０２）、ＤＶＤ−ＲＡＭのメディアが両面メディアでかつ何も記録されていないかを調べる（Ｓ３０３）。もし、両面ＤＶＤ−ＲＡＭでかつ何も記録されていない（ブランクディスク）ならば、通常のＡＢ面録画を行う。まず、ＤＶＤ規格に基づく管理情報を作成し録画準備にはいる（Ｓ３１１）。次に予約録画であるため、予約開始時間を調べ予約開始時間（Ｓ３１２）がきたならば、ＤＶＤ−ＲＡＭに録画を開始する（Ｓ３１３）。記録を続け、ＤＶＤ−ＲＡＭに残量があるかどうかを常にチェックする（Ｓ３１４）。
【００６８】
もし、ＤＶＤ−ＲＡＭに残量が無くなった場合は、ＤＶＤ−ＲＡＭの管理情報にその時刻のセルエントリーポイント情報（Ｍ＿Ｃ＿ＥＰＩ）を設定する（Ｓ３１５）。ＤＶＤ−ＲＡＭに残量が無くなり次第、ＤＶＤ−ＲＡＭの録画が終了する。終了時には、上記のエントリーポイント等の管理情報も記録される（Ｓ３１６）。
【００６９】
そして、今度はハードディスクの管理情報にエントリーポイント情報（Ｍ＿Ｃ＿ＥＰＩ）を設定し（Ｓ３１７）、ハードディスクに対して録画を開始する（Ｓ３０６）。予約終了時間をチェックし（ステップＳ３０９）、予約時間終了まで録画が続けられる。予約時間が終了したならば、終了処理を行い（Ｓ３１０）、上記のエントリーポイント等の管理情報も記録され、録画の通常の処理を終了する（Ｓ２０１）。
【００７０】
以上のように、ＤＶＤ−ＲＡＭへの片面記録は自動的に行われ、後は、ハードディスクに記録されたＢ面映像情報は、ユーザーがダビングすれば良い。
【００７１】
つぎに、ＤＶＤ−ＲＡＭメディアが両面メディアではない場合や、既に映像情報が記録されている場合などの処理を説明する。
【００７２】
ステップＳ３０３にて、両面メディアで無い場合や、既に映像情報が記録されている場合は、ハードディスクの管理情報作成と録画準備をする（Ｓ３０４）。そして予約時間開始を待つ（Ｓ３０５）。予約開始時間がきたならば、ハードディスク上に録画を開始する（Ｓ３０６）。そして、この発生する情報量は一定ではないので、常に情報量を監視し（Ｓ３０７）、もし、記録容量がディスク両面分の半分（片面分）になった場合は、ハードディスクの管理情報にエントリーポイント情報（Ｍ＿Ｃ＿ＥＰＩ）を設定する（Ｓ３０８）。その後、予約終了時間まで録画を続ける（ステップＳ３０９）。予約時間が終了した後は、終了処理を行い、上記のエントリーポイントを含めたハードディスクの管理情報も同期に記録を行い（Ｓ３１０）。録画を終了する。後は、ユーザーが両面ブランクメディアを新たにＤＶＤ−ＲＡＭドライブに挿入し、ダビングを行えば、容易に両面メディアにＡＢ面録画が完成したことになる。
【００７３】
図５に、ハードディスクに記録したエントリーポイント情報と、両面記録メディアであるＤＶＤ−ＲＡＭの記録容量を示す。上記のようにハードディスクのみでＡＢ面録画を終了した場合、ちょうどＡ面の記録容量と、ハードディスクのエントリーポイントまでの記録容量が一致しているのがわかる。
【００７４】
なお、上記ステップＳ３０３のＤＶＤ−ＲＡＭメディアの判定であるが、上記の場合以外にもディスクの汚れや傷のため、メディアに書き込めない場合などの理由により、ハードディスクへの書き込みモードになることも考えられる。
【００７５】
また、上記説明のステップＳ３０７であるが、ハードディスクの記録量がＡ面分と一致するかをチェックする方法でも構わない。その場合、たとえＡＢ面録画方法で記録し、録画時間が足りず（ＤＶＤ規格のデータ発生量の最高値が決まっているため）、ＡＢ面すべての記録容量を使用しない場合でも、Ａ面容量すべて（例えば９．４ＧＢ両面ＤＶＤ−ＲＡＭの場合は、４．７ＧＢ）を使用し、Ｂ面は記録残量があるという使用方法も可能となる。
【００７６】
また、前記の通常のＡＢ面録画方法であるが、図６のフローチャートのような処理ではなく、通常はＤＶＤ−ＲＡＭからハードディスクへ録画を移行する場合、切替時前後にＤＶＤ−ＲＡＭ、ハードディスク両方同時に録画を行い、映像情報の喪失を防ぐ方法で行われている。
【００７７】
なお、本実施例では、第１の記録メディアにＤＶＤ−ＲＡＭを、第２の記録メディアにハードディスクを用いて説明したが、これらは他の記録メディアであっても良い。
【００７８】
また、本発明の趣旨を満たしていれば、映像記録再生装置の構成はどのようであっても構わない。
【００７９】
上記の記録方法を用いれば、たとえ第１の記録メディアに映像情報の記録ができない場合、第２の記録メディアに両面記録メディアの容量分、映像情報を記録した場合においても、ユーザーが煩わしい操作をすることなく、両面記録メディアに片面等量分になるような記録方法により、録画終了後、ユーザーが容易に両面記録メディアに等分にダビングすることが可能になる。
【００８０】
尚、上記の説明では、ハードディスク（第１の記録媒体）の記録容量Ａに対して光ディスク（第２の記録媒体）の記録容量Ｂ（＜Ａ）とした場合、そのエントリポイントを設定する単位は４．７ＧＢとして説明したが、これに限定されるものではない。ほぼ４．７ＧＢ以下であってもよい。さらに特定の単位４ＧＢ、３ＧＢ、２ＧＢ単位を任意に選択できるようにしても良いことは勿論である。また上記の説明では、装置内蔵のハードディスクと、リムーバブルは光ディスクとをタイムシェアリングでアクセスできる装置に本発明を適用した例を説明した。しかしこれに限らず、ハードディスクのみを有する装置に対しても本発明を適用できることは勿論のことである。
【００８１】
【発明の効果】
以上説明したようにこの発明によれば、記憶容量の大きな記録メディアに情報を記録し記録容量の小さな記録メディアに対して例えば情報のコピーを行なう場合、情報のコピーが容易であり、記録容量の違いからくる不具合を改善することができる。
【図面の簡単な説明】
【図１】この発明に係る情報記録再生装置のブロック構成図。
【図２】リアルタイムレコーディングＤＶＤ規格の管理情報とビデオオブジェクトの関係を示す説明図。
【図３】リアルタイムレコーディングＤＶＤ規格のプログラムチェーンの内容を示す説明図。
【図４】この発明の一実施の形態における録画動作動作の例を示すフローチャート。
【図５】この発明の一実施の形態におけるダビング動作の例を示すフローチャート。
【図６】この発明の他の実施の形態における録画動作の例を示すフローチャート。
【図７】図６の動作により記録されるハードディスクとＤＶＤ−ＲＡＭの記録容量の関係を示す説明図。
【符号の説明】
１…映像入力部、２…音声入力部、３、４…Ａ／Ｄ変換回路、５…エンコーダ、６…フォーマッタ、７…データ処理部、８…ＤＶＤ−ＲＡＭドライブ装置、９…ハードディスクドライブ、１０…デコーダ、１１Ａ、１１Ｂ…セレクタ、１２、１３…Ｄ／Ａ変換回路、１６…キー入力部、１７…表示部、１８…ＭＰＵ部。
【図１】
0003566684.tif 000002
【図２】
0003566684.tif 000003
【図３】
0003566684.tif 000004
【図４】
0003566684.tif 000005
【図５】
0003566684.tif 000006
【図６】
0003566684.tif 000007
【図７】
0003566684.tif 000008